(57)【特許請求の範囲】
【請求項１】
液体透過性を有するトップシート（７）、液体不透過性を有するバックシート（８）、及び液体透過性を有するトップシート（７）と、液体不透過性を有するバックシート（８）と、の間に封入された吸収性コア（９）を備え、その長手方向に股部（１６）及び２つの端部（１５、１７）を有する吸収性製品であって、前記吸収性製品は、少なくとも前記股部（１６）に、複数の開口部（３）を有するインレット材料（１）を備え、
前記インレット材料（１）の前記複数の開口部（３）は、前記吸収性製品の横方向に延びる複数のスリット（２）から形成され、前記開口部（３）は前記スリット（２）から、連続的な前記インレット材料（１）を前記吸収性製品（１００）の前記長手方向に広げることによって形成されており、前記吸収性製品（１００）の前記横方向における液体インレット材料（１）は中央領域（４）及び２つの縁部領域（５、６）を有し、前記複数の開口部（３）は前記中央領域（４）中に配置され、それによって前記複数の開口部（３）を有する前記インレット材料の前記中央領域（４）は前記縁部領域（５、６）より低度の弾性を有することを特徴とする、吸収性製品。
【請求項２】
前記インレット材料（１）の前記縁部領域（５、６）は、前記インレット材料（１）の前記中央領域（４）より大きな弾性を有することを特徴とする請求項１に記載の吸収性製品。
【請求項３】
前記股部（１６）は椀状の形状を有することを特徴とする請求項２に記載の吸収性製品。
【請求項４】
前記インレット材料（１）は、前記股部（１６）のみに配置されていることを特徴とする請求項１〜３のいずれか一項に記載の吸収性製品（１００）。
【請求項５】
前記インレット材料（１）は、前記トップシート（７）と、前記吸収性コア（９）と、の間に配置されていることを特徴とする請求項１〜４のいずれか一項に記載の吸収性製品（１００）。
【請求項６】
前記インレット材料（１）は、前記液体透過性を有するトップシート（７）又は前記トップシート（７）の一部であることを特徴とする請求項１〜４のいずれか一項に記載の吸収性製品（１００）。
【請求項７】
前記インレット材料（１）は、少なくとも前記股部（１６）において、前記吸収性コア（９）より大きな幅を有することを特徴とする請求項５または６に記載の吸収性製品（１００）。
【請求項８】
前記インレット材料（１）の前記中央領域（４）もまた、少なくとも前記股部（１６）に前記吸収性コア（９）より大きな幅を有することを特徴とする請求項７に記載の吸収性製品（１００）。
【請求項９】
前記液体透過性を有するトップシート（７）及び前記液体不透過性を有するバックシート（８）は、前記股部（１６）において前記インレット材料（１）と実質的に同じか又はより大きな幅を有することを特徴とする請求項５〜８のいずれか一項に記載の吸収性製品（１００）。
【請求項１０】
前記縁部領域（５、６）は、少なくとも５．０ｍｍである幅を有することを特徴とする請求項１〜９のいずれか一項に記載の吸収性製品（１００）。
【請求項１１】
前記吸収性製品の前記横方向における前記開口部（３）の長さは、５．０〜２０．０ｍｍであることを特徴とする請求項１〜１０のいずれか一項に記載の吸収性製品（１００）。
【請求項１２】
前記吸収性製品の前記横方向における前記開口部（３）の長さは、７．０〜２０．０ｍｍであることを特徴とする請求項１〜１０のいずれか一項に記載の吸収性製品（１００）。
【請求項１３】
前記吸収性製品の前記横方向における前記開口部（３）の長さは、１０．０〜２０．０ｍｍであることを特徴とする請求項１〜１０のいずれか一項に記載の吸収性製品（１００）。
【請求項１４】
前記吸収性製品（１００）の前記長手方向における前記開口部（３）の幅は、前記横方向における前記開口部（３）の長さの０．２〜３．０であることを特徴とする請求項１〜１３のいずれか一項に記載の吸収性製品（１００）。
【請求項１５】
前記吸収性製品（１００）の前記長手方向における前記開口部（３）の幅は、前記横方向における前記開口部（３）の長さの０．５〜１．０であることを特徴とする請求項１〜１３のいずれか一項に記載の吸収性製品（１００）。
【請求項１６】
前記インレット材料（１）は、広げられていない前記インレット材料の元の長さから、３０％〜２００％引き延ばされていることを特徴とする請求項１〜１５のいずれか一項に記載の吸収性製品（１００）。
【請求項１７】
前記インレット材料（１）は疎水性であることを特徴とする請求項１〜１６のいずれか一項に記載の吸収性製品（１００）。
【請求項１８】
前記インレット材料（１）は発泡材料であることを特徴とする請求項１〜１７のいずれか一項に記載の吸収性製品（１００）。
【請求項１９】
前記インレット材料（１）は不織布であることを特徴とする請求項１〜１５のいずれか一項に記載の吸収性製品（１００）。
【請求項２０】
前記開口部（３）間の距離は、１．５〜５．０ｍｍであることを特徴とする請求項１〜１９のいずれか一項に記載の吸収性製品（１００）。
【請求項２１】
前記開口部（３）間の距離は、１．５〜２．５ｍｍであることを特徴とする請求項１〜２０のいずれか一項に記載の吸収性製品（１００）。
【請求項２２】
前記中央領域（４）における前記複数の開口部（３）によって形成された前記吸収性製品の水平平面における合計開面積は、前記中央領域（４）の前記水平平面における全面積の４０％〜７０％であることを特徴とする請求項１〜２１のいずれか一項に記載の吸収性製品（１００）。
【請求項２３】
前記インレット材料（１）及び前記インレット材料（１）の直ぐ下の層は、異なる色を有することを特徴とする請求項１〜２２のいずれか一項に記載の吸収性製品（１００）。
【請求項２４】
前記吸収性製品（１００）は、失禁シールド（１００）であることを特徴とする請求項１〜２３のいずれか一項に記載の吸収性製品（１００）。
【請求項２５】
前記失禁シールドの前記長手方向における前記インレット材料（１）の長さは、前記長手方向における前記失禁シールド（１００）の全長の２０〜８０％であることを特徴とする請求項２４に記載の吸収性製品（１００）。
【請求項２６】
前記失禁シールド（１００）は、その長手方向において５０ｃｍ未満又は３０ｃｍ未満であることを特徴とする請求項２４または２５に記載の吸収性製品（１００）。
【発明の詳細な説明】
【技術分野】
【０００１】
本発明は、液体透過性を有するトップシート、液体不透過性を有するバックシート、及び液体透過性を有するトップシートと、液体不透過性を有するバックシートと、の間に封入された吸収性コアを備える吸収性製品に関する。吸収性製品は、その長手方向に、股領域と２つの端部領域とを有し、少なくとも股領域は、複数の開口部を有するインレット材料を備える。
【背景技術】
【０００２】
失禁シールド（ｉｎｃｏｎｔｉｎｅｎｃｅ  ｓｈｉｅｌｄｓ）のような吸収性製品に対して、それらが小型であり、柔軟であり、着用者にとって快適であると同時に、漏れに対する信頼できる保証があることに対する高い要求がある。
【０００３】
失禁シールドは、下着の股部の使用可能な限られたスペースにぴったり合うようにサイズを決められ、かつ構成されなければならず、したがって、製品は必然的に比較的小さな幅を有して設計される。この理由で、そのような製品に伴う問題は、製品の全体的な吸収容量が使用される前に、側部縁部で漏れる場合があるということである。
【０００４】
側部漏れは、吸収された流体が、流体が製品に入る点からすべての方向に均等に迅速に分散された結果として、生じる場合がある。このことは、流体が、端部まで分配される前に側部縁部において製品から逃げることをもたらす。側部漏れのまた別の原因は、製品の吸入能力が、製品上に発散されたすべての流体が製品の内部に直接入ることを可能にするには不十分である場合である。代わりに、流体はトップシート上を流れ、側部縁部を越えて流出し、そこで漏れ出て着用者の衣服を汚染する場合がある。
【０００５】
尿流体は通常、定常流の形で発散されることはなく、高圧下における、非常に短い時間の間の、比較的大量の突然の噴出として発散される。
【０００６】
したがって、失禁シールドが排出された流体を対応する速度で受取り、含むことができると望ましい。
【０００７】
従来技術の液体インレット材料は、ある程度側部漏れを軽減できるが、下着の股部に着用される吸収性物品の種類に対する側部漏れ防衛手段のさらなる改善に対する必要が依然として存在する。
【発明の概要】
【課題を解決するための手段】
【０００８】
本発明によれば、改善された漏れ防衛手段を有する吸収性製品が提供される。
【０００９】
この吸収性製品は、液体透過性を有するトップシート、液体不透過性を有するバックシート、及び液体透過性を有するトップシートと、液体不透過性を有するバックシートと、の間に封入された吸収性コアを備える。吸収性製品は、その長手方向に股部及び２つの端部を有し、吸収性製品は、少なくともその股部に複数の開口部を有するインレット材料を備える。インレット材料の複数の開口部は、吸収性製品の長手方向に広げられた、吸収性製品の横方向に延びるスリットから形成される。液体インレット材料は吸収性製品の横方向に、中央領域と２つの縁部領域とを有する。開口部は中央領域に配置され、それによって複数の開口部を有する材料の中央領域が縁部領域より低度の弾性を有する
【００１０】
スリットを有する材料の中央領域と、スリットの無い材料の縁部領域と、を有することの効果は、材料が、開口部がスリットから形成されるように引き延ばされた後に、材料の異なる領域に異なる弾性をもたらす。インレット材料の中央領域の開口部はこの領域の材料に、開口部の無い縁部領域よりも低度の弾性を与える。股部の中央領域におけるよりも高度の縁部領域の弾性は、インレット材料の縁部領域が、脚部伸縮素材として機能し、インレット材料の中央部より大きな弾性を有するので有利である。また、吸収性製品は、インレット材料の中央領域よりも大きな弾性を有するインレット材料の縁部領域の、弾性的な収縮の結果として、股領域に椀状の形状を得ることができる。
【００１１】
開口部の無い縁部領域によるまた別の利点は、縁部が、側部漏れに対する危険性を減少させる液体縁部バリアをしても機能することができることである。
【００１２】
インレット材料の中央領域における開口部による１つの利点は、製品中への液体の流入が改善されることである。材料に開口部を形成する代替的な方法は、パンチで穴をあけること／穴をあけることである。しかし、スリットを開ける方法は、パンチで穴をあけること／穴をあけることよりも有利である。何故ならば、材料をウェブから切り出すことがないからである。このことは、材料の無駄がより少ないことによってお金を節約し、また、別様に工程の機器及び最終製品の両方を汚染する場合がある、材料から切り出された多くの小さなピースを有することを避けることによって、生産工程におけるハンドリングを改善することができる。
【００１３】
インレット材料は、非常に短い時間の比較的大量の突然の噴出を吸収することができなければならず、本開示によれば、同じ連続的な材料シートから成る、複数の開口部及び脚部弾性材料を有するインレット材料を提供することができる。
【００１４】
吸収性製品の長手方向に延びる縁部領域が、脚部伸縮素材として機能し、股部領域における椀状の形状を形成するのを支援するので、脚部伸縮素材を形成するために、別々の材料シート／要素に対する必要性がない。インレット材料および脚部伸縮素材のための材料は同じ連続的な材料シートである。
【００１５】
インレット材料は、トップシートと吸収性コアと、の間に配置することができるか、又はインレット材料は液体透過性を有するトップシート或いはその部分とすることができる。
【００１６】
インレット材料は、吸収性コアより大きな幅を有することができる。吸収性コアが１つ以上の層を備える場合には、インレット材料は、吸収性コアの層の少なくとも１つよりも大きな幅を有することができる。
【００１７】
インレット材料の中央領域は、吸収性製品の少なくとも股部において、吸収性コアよりも大きな幅を有することができる。インレット材料の中央領域が吸収性コアより大きな幅を有することによる利点は、複数の開口部が吸収性コア上に、また吸収性コアの外側の部分に亘って製品の横方向に延び、したがって、吸収性コアと、脚部弾性領域と、の間で横方向に配置された吸収性製品の一部があるということであり、脚部弾性領域はそれほど多くの材料が無い（吸収性コアがなく、複数の開口部を有するインレット材料も無い）縁部領域であり、この部分は、ヒンジ効果の故に、大きな弾性を有する縁部領域が、吸収性製品を椀状形状の製品に収縮させることを容易にするということである。
【００１８】
インレット材料は吸収性製品の横方向に２つの縁部領域と、これら縁部領域間の中央領域と、を有し、縁部領域は製品の側部縁部全体に沿って少なくとも５ｍｍとすることができる。そうでなければ、縁部領域を脚部伸縮素材として機能させ、吸収性製品を股領域において椀状の形状に収縮させることはより困難であるだろう。
【００１９】
吸収性製品の長手方向における開口部の幅は、横方向における開口部の長さの０．２〜３．０、又は０．５〜１．０とすることができる。
【００２０】
インレット材料は、広げられていないインレット材料の元の長さから３０％〜２００％を引き延ばされていてもよい。
【００２１】
インレット材料は、疎水性とすることができる。疎水性材料による利点は、開口部の無い疎水性の縁部領域が液体のバリアとして機能し、縁部漏れのリスクを減少させることである。また、疎水性のインレット材料は、使用者の肌に近い乾燥した表面がバクテリアの成長及び肌のかゆみのリスクを減少させるので、スキンケアの観点から好ましい。
【００２２】
液体インレット材料は、発泡材料から成ってもよい。液体インレット材料として発泡材料を有する利点は、そのような製品が柔軟に感じられること、及び多くの使用者にとって審美的に魅力的であると感じられることである。また、外側からの負荷に晒された後に、実質的にその元の形態に戻るように、跳ね返る発泡材料の能力も重要な特性である。
発泡材料は連続的な構造を有するので、良好な柔軟性とともに、外側からの負荷にしたがって跳ね戻る能力をも有する。
【００２３】
発泡材料は、連続気泡構造を有しても、独立気泡構造を有してもよい。吸収性製品における液体受容発泡層として使用される発泡体は、連続気泡を有する発泡体であることが多く、したがって液体は発泡体に、及びその下の吸収性コアにも容易に入る。しかし、スリット開口部によって、独立気泡を有する発泡体を使用することもまた可能である。独立気泡を備える発泡体による利点は、液体が発泡体構造それ自体には容易に入らず、したがって発泡材料が、互いに接続された連続気泡を有する発泡体よりも乾いた状態に保たれることである。
【００２４】
また、インレット材料は繊維材料、例えば不織布又はその積層体であってもよい。
【００２５】
液体インレット材料の開口部間の距離は、１．５〜５．０ｍｍ又は１．５〜２．５ｍｍとすることができる。開口部間のかなり短い距離による利点は、全体的な開領域が大きく、吸入速度が早いことである。
【００２６】
中央領域のインレット材料の水平面における開口部の合計開面積は、中央領域のインレット材料の水平面における全面積の４０〜７０％である。
【００２７】
スリットは、５．０〜２０．０ｍｍ、７．０〜２０ｍｍ、１０．０〜２０ｍｍのスリット長さを有することができる。少なくとも５ｍｍ、又は少なくとも７ｍｍ、又は少なくとも１０．０ｍｍであるスリット長さを有することによって、尿は、インレット材料の下の吸収性コアに、より容易に達する。
【００２８】
吸収性製品は、股部において、より狭い幅を有することができ、端部において、より広くすることができる。この理由は、製品を、使用中の身体へのフィット感を最適化するように形成するためである。しかし、プロセスの理由で、吸収性製品の長手方向において、長手方向中心線に略平行に配置されたインレット材料の中央領域を有し、吸収性製品の外形に沿わないことが有利である場合がある。
【００２９】
スリットは、吸収性製品の横方向に延びる互い違いの列に設けることができ、互い違いの列の２つの相互に順々に起きるスリットの端部間のスリット距離Ｂ、スリット長さＡ、及び２つの隣り合う列間の列距離Ｃを有する。
【００３０】
インレット材料及びインレット材料のすぐ下の層は異なる色を有することができる。このことは、複数の開口部がよりはっきりと見えるので有利である。例えば、インレット材料が有色とされるか、又はインレット材料間の層及び吸収性コアが有色とされる。インレット材料と吸収性コアとの間の層は、例えば不織布とすることができる。吸収性コア／又は吸収性コアの一部が、インレット材料より少ない延在部を有する形を有する場合には、有色層の下の吸収性コアのより少ない延在部が使用者によってそれほど容易に認識されないので、インレット材料の直ぐ下の材料層が有色であると有利である。
【００３１】
吸収性製品は失禁シールドとすることができる。中央領域のスリット開口部及びスリットの無い縁部領域は、この種の吸収性製品にとっては特に有利である、尿のインレット速度及び椀状形状を改善する。
【００３２】
吸収性製品の長手方向におけるインレット材料の長さは、長手方向における吸収性製品の２０〜８０％とすることができる。
【００３３】
吸収性製品は、前端部及び後端部、並びに前端部と後端部との間に配置された股部を有する。
【００３４】
吸収性製品のその長手方向における前端部の長さは、吸収性製品の長手方向における後端部の長さより短くすることができる。
【００３５】
吸収性製品のその長手方向における後端部の長さは、吸収性製品の長手方向における前端部の長さより短くすることができる。
【００３６】
失禁シールドの全長は、１５〜５０ｃｍとすることができる。失禁シールドの全長は、５０ｃｍより短くすることができ、３０ｃｍより短くすることができる。
【００３７】
失禁シールドの長手方向におけるインレット材料の長さは、失禁シールドの長手方向における全長の２０〜８０％とすることができる。
【図面の簡単な説明】
【００３８】
【図１Ａ】広げられる前の、本発明の一実施形態によるスリットインレット材料の上面図である。
【図１Ｂ】広げられた後の、すなわちスリットが開口部を形成するように開口された後の、図１Ａによるインレット材料の上面図である。
【図２】本発明の一実施形態による失禁シールドの断面図である。
【図３】それが着用される際に、使用者に面する側から見た、図２の失禁シールドを示す図である。
【図４】それが着用される際に、使用者に面する側から見た、図２の失禁シールドを示す図である。
【発明を実施するための形態】
【００３９】
本発明が、図１Ａ〜Ｂ及び図２〜４を参照して、例示によって以下に説明される。図１Ａは、広げられる前の、本発明の一実施形態によるスリットインレット材料の上面図を示す。図１Ａは、横方向スリット２の提供後のインレット材料１の上面図を示す。図１Ａにおけるスリット２は直線であるが、例えば波型のようないずれかの好適な形状を有することができる。スリット２は、インレット材料１の横方向に延びる互い違いの列に設けることができ、スリット長さＡ及び互い違いの列の２つの相互に順々なスリットの端部間のスリット距離Ｂ、並びに２つの隣り合う列間の列距離Ｃを有する。インレット材料１はその横方向に、スリットを有する中央領域４及びスリットの無い２つの縁部領域５、６を有する。
【００４０】
図１Ｂは、スリット２の方向に対して横方向に広げられた後の、すなわちスリット２が開口されて開口部３を形成した後の、図１によるインレット材料１の上面図を示す。
【００４１】
図２は、本発明の一実施形態による失禁シールドにおける異なる層の断面図を示す。失禁シールド１００は、液体透過性を有するトップシート７、液体不透過性を有するバックシート８、及びトップシート７とバックシート８との間に封入された吸収性コア９、並びにトップシート７と吸収性コア９との間に配置されたインレット材料１を備える。失禁シールド１００は、その長手方向に、前端部１５、後端部１７、及び前端部１５と後端部１７との中間の股部１６を有する。インレット材料１は製品の股部１６に配置され、失禁シールド１００のその長手方向における前端部１５の長さは、失禁シールド１００の長手方向における後端部１７の長さよりも短い。股部１６は、製品の使用中に着用者の股に対して配置されることを意図される部分であり、失禁シールド１００に達する体液のための主補足領域を構成することを意図されている。
【００４２】
失禁シールド１００のトップシート７及びバックシート８は、吸収性コア９の横方向外側に、吸収性コア９の周縁全体に沿って共に延びる。トップシート７は、この目的、すなわち柔軟かつ液体透過性のために好適ないずれかの材料から成る。一般的に見られるトップシート７の材料の例は、不織材料、有孔のプラスティックフィルム、又は布地メッシュ、及び流体透過性を有する発泡層である。また、２つ以上のトップシート材料から成る積層体が一般的に採用され、同様に、着用者に面する表面から成ること成る部分内に異なる流体透過性を有する材料から成るトップシートが採用される。
【００４３】
バックシート８は流体不透過性を有する。しかし、排液性のみを有するバックシート材料を、比較的少量の尿が取り込まれることが予想される場合には、特に使用することができる。バックシート８は、薄い、柔軟な、流体不透過性を有するプラスティックフィルムによって通常は構成されるが、流体不透過性を有する不織布材料、流体不透過性を有する発泡体、及び流体不透過性を有する積層体を、本発明の範囲内で考えることもできる。バックシート８は、通気性を有し、必然的に空気及び／又は蒸気がバックシートを通じて通過することができるということになる。さらに、バックシート８は、不織布のような布材料から成る外側の、衣服に面する面を有することができる。
【００４４】
吸収性コア９は、１つ以上のセルロースフラフパルプ、発泡材、繊維詰め物等のような、この業界において知られているいずれかの好適な吸収材又は流体取り込み材料から作ることができる。吸収性コア９は、高度に吸収性を有する、一般に超吸収材として知られるポリマー材料の繊維又は粒子を含むことができ、超吸収材は、ヒドロゲルの形成の際に大量の流体を吸収し保持する能力を有する材料である。超吸収材は、セルロースフラフパルプと混合することができ、及び／又は吸収性コア９中のポケット又は層に配置することができる。繊維はパルプ繊維とすることができ、超吸収材料はポリアクリレートベースの粒子とすることができる。吸収性コア９は、吸収性コア９の特性を改良するための成分をさらに組み込むことができる。そのような成分のいくつかの例は、当業において既知である結合剤繊維、流体分散材料、湿気測定器、等である。失禁シールド１００は、すべての方向に完全に引き延ばされたときには、細長い、略長方形形状を有する。砂時計形状、台形状等のようなすべての好適な形状を、吸収性製品に対して使用することができる。失禁シールドは、吸収性物品の使用中に後方に向かうことを意図された横方向後端縁１４、及び着用者の腹部に向かって前方に面することを意図された前端縁１３を有する。失禁シールド１００は、下着パンツのような、支持パンツ下着の内側に吸収性製品を固定するための固定手段をさらに含むことができる。固定手段は、バックシート８の下着に面する表面上に配置された感圧接着剤から成る２つの長手方向に延びる帯の形態とすることができる。固定手段は取り外し可能な保護層、例えばシリコン処理を施した紙、不織布、又はいずれかの当業において既知の取り外し可能な材料によって覆うことができる。吸収性製品を支持パンツ下着の中に置く前に、保護層が固定手段から取り外されて、接着剤を露出させ、パンツ下着への固定用に使用可能とする。
【００４５】
固定手段は本発明にとっては任意的なものであり、必要に応じて省略することができる。接着剤の固定手段を使用する際には、いずれかの接着剤パターン、例えばバックシートの全体コーティング、１つ以上の長手方向接着剤の帯、横方向の帯、点、円、湾曲形、星形等を使用することができる。
【００４６】
図１におけるインレット材料１は、吸収性コア９の上及び下にトップシート７と直接接触した状態で配置される。失禁シールド１００の吸収性コア９は１つの吸収性層を備えるが、吸収性コア９はまた、２つ以上の吸収性層を備えることもできる。吸収性コア９は均一な構造を有することができるか、又はそれら自体が、同じ又は異なる材料から成る吸収性積層体のような層構造をとることもできる。吸収性層は、均一な厚みを有することができ、又は層の異なる部分において厚みが変化してもよい。同様に、秤量及び組成は、吸収性層内で変化させることができる。例示の方法によって、吸収性層は、吸収性を有する及び／又は吸収性を有さない繊維と、超吸収材料との混合物を備えることができ、超吸収材料の繊維に対する比は、層内で変化させることができる。吸収性コア９は、拡幅された端部部分及び股部における狭められた部分を有する砂時計形状、又は長方形形状のような、いずれかの好適な形状を有することができる。図２〜４に示された失禁シールドにおけるインレット材料１は、長方形形状を有する。
【００４７】
図３は、着用される際に使用者に面する側から見た、図２の失禁シールドを示す。図３では、インレット材料１の縁部領域５、６は、脚部伸縮素材１８、１９を形成している。縁部領域５、６は、インレット材料１の中央領域４よりも大きな弾性を有し、脚部伸縮素材１８、１９として機能する。脚部伸縮素材１８、１９は、インレット材料１の縁部領域５、６である。図４もまた、着用される際に使用者に面する側から見た、図２の失禁シールド１００を示す。図４では、インレット材料１の縁部領域５、６の弾性的収縮によって形成された失禁シールド１００の椀形状が示されている。図２〜４に記載された失禁シールド１００は、本発明用に好適な吸収性製品の１つの表示にすぎない。
【符号の説明】
【００４８】
１              インレット材料
２              スリット
３              開口部
４              中央領域
５、６          縁部領域
７              トップシート
８              バックシート
９              吸収性コア
１５、１７      端部
１６            股部
１００          吸収性製品
【図１Ａ】
0006580717.tif 000002
【図１Ｂ】
0006580717.tif 000003
【図２】
0006580717.tif 000004
【図３】
0006580717.tif 000005
【図４】
0006580717.tif 000006